(57)【要約】　　　（修正有）【課題】翼部材等を折たたみ変型する玩具等においての機構を提供する。【解決手段】本発明はストッパー２０２とストッパー２０２両側面に設けられた止軸２０３とストッパー２０２からネック部２０４を介して延接された翼２０１により構成される翼部材２０と、翼部材２０の止軸２０３を受ける軸受３０１とストッパー２０２を収納する収納部を内部に有するとともに、ネック部の可動のためのネック可動用開口部を有するボックス体とより構成され、翼部はボックス体に対して対称となる位置に取り付けられ、前記ストッパー２０２は翼部材２０が開いた任意位置でボックス内壁により止められるものであり、軸受３０１は翼部材２０の止軸２０３を上下動可能としたものであり、翼部材２０を折りたたんだ状態で翼部が上下に積載されるようになっている。【選択図】　　図１０
2004033718.tif 000002
【特許請求の範囲】
【請求項１】
ストッパーとストッパー両側面に設けられた軸とストッパーからネック部を介して延接された翼部とにより構成される翼部材と、前記翼部材の軸を受ける軸受けとストッパーを収納する収納部を内部に有するとともにネック部の可動のためのネック可動用開口部を有するボックス体とより構成され、前記翼部はボックス体に対して対称となる位置に取り付けられ、前記ストッパーは翼部材が開いた任意位置でボックス内壁により止められるものであり、前記軸受けは翼部材の軸を上下動可能としたものであり翼部材を折りたたんだ状態で翼部が上下に積載されるようになっていることを特徴とする玩具等の可動機構。
【発明の詳細な説明】
【０００１】
【考案の属する技術分野】
本発明は、玩具等の可動機構に関するものである。
【０００２】
【従来の技術】
従来、玩具における翼等を折込む可動機構は図１に示すよう、翼（１０１）に折軸（１０２）を設け、本体に設けた折軸止（１０３）に接合し翼を折込み可動していたが翼を折込だ祭、折軸止（１０３）からの段差に合わせ翼部材を折りたたんだ状態で翼部が上下に積載されているために一定の高さが設けられる。また、従来の可動機構においては翼部材を折りたたんだ状態の翼部の装着性等において欠点があった。
【０００３】
【発明が解決しようする課題】
本発明は、図４の翼部材（２０）を使用することにより、図７の可動構成図より、ふたつの翼部材（２０）を本体（３０）に設けられた軸受（３０１）に装着し、溝止カバー（４０）のネジ穴（３０２）、本体カバー（５０）のネジ穴（３０３）を止ネジ（３０４）にて固定し翼の折込み可動機構を提供することにより、上記の欠点を解消することを目的とするものである。
【０００４】
【課題を解決するための手段】
本発明は、図４に示すストッパー（２０２）とストッパー（２０２）両側面に設けられた止軸（２０３）とストッパー（２０２）からネック部（２０４）を介して延接された翼（２０１）により構成される翼部材（２０）と、図７に示す翼部材（２０）の止軸（２０３）を受ける軸受（３０１）とストッパー（２０２）を、図８に示す構成のよう、収納する収納部を内部に有するとともにネック部の可動のためのネック可動用開口部を有するボックス体とより構成され、翼部はボックス体に対して対称となる位置に取り付けられ、前記ストッパー（２０２）は翼部材（２０）が開いた任意位置でボックス内壁により止められるものであり、図９に示された前記軸受（３０１）は翼部材（２０）の止軸（２０３）を上下動可能としたものであり、図１０に示す翼部材（２０）を折りたたんだ状態で翼部が上下に積載されるようになっている。
以上、課題を解決する手段として発明されたものである。
【０００５】
【発明の実施の形態】
以下、本発明の実施の形態について図をもって説明する。
図１に示されているのは、従来の玩具における翼等を折込む可動機構で、翼（１０１）に折軸（１０２）を設け、本体に設けた折軸止（１０３）に接合し翼を折込み可動し翼を折込だ祭、折軸止（１０３）からの段差に合わせ翼部材を折りたたんだ状態で翼部が上下に積載されているために一定の高さが設けられる図を示している。
図２は、図１に示された可動機構の断面図である。
図３に示されているのは、従来の玩具における翼等を折込む可動機構を示した図である。
図４に示されているのは、本発明の翼部材（２０）でストッパー（２０２）とストッパー（２０２）両側面に設けられた止軸（２０３）とストッパー（２０２）からネック部（２０４）を介して延接された翼（２０１）により構成される。
図５に示されているのは、本発明の翼部材（２０）の断面の構成図である。
図６は、翼部材（２０）を底面部から見た状態の図である。
図７は、本発明の可動機構の分解図で、翼部材（２０）がボックス体に対して対称となる位置に取り付けられるよう本体（３０）に設けられた軸受（３０１）に止軸（２０３）ａｂが取付けられ対象の翼部材（２０）も同様に本体（３０）の軸受（３０１）に止軸（２０３）ｃｄが取付けられ軸受（３０１）にセットされ、止軸（２０３）ａｂ、止軸（２０３）ｃｄを溝止カバー（４０）に設けたネジ穴（３０２）と本体（３０）に設けた中央下方のネジ穴（３０２）を止ネジにて固定される。
続いて、本体カバー（５０）に設けたネジ穴（３０３）と本体（３０）に設けたネジ穴（３０３）を止ネジにて固定しボックス体として形成される。
すなわち、▲１▼本体（３０）の軸受（３０１）に止軸（２０３）ａｂ、止軸（２０３）ｃｄが取付けられ▲２▼矢印方向ｅ溝止カバー（４０）が本体（３０）に取付けられ、▲３▼本体（３０）と本体カバー（５０）が取付けられる。
図８は、本発明の可動機構の構成経過の図で、本機構は本体（３０）の軸受（３０１）に止軸（２０３）ａｂ、止軸（２０３）ｃｄが取付けられ溝止カバー（４０）にて固定され、さらに本体カバー（５０）が固定される工程経過を示した図である。
図９は、本発明の可動機構が形成された状態の図で、図に示すよう双方の翼部材（２０）が取付けられた状態で、矢印方向、折方向１Ａ、折方向２Ｂの順に折りたたまれる。
図１０は双方の翼部材（２０）が折たたまれた状態の図で、先に折たたまれた翼部材（２０）の止軸（２０３）は本体（３０）の軸受（３０１）の溝分の幅ｂの可動範囲をもち、止軸（２０３）はｂ１の位置とされる。
つぎに折たたまれる翼部材（２０）は、先に折たたまれた翼部材（２０）の止軸（２０３）のｂ１の位置により厚み分が調整され、軸受（３０１）の幅ａの可動範囲のａ１の位置とされる。軸受（３０１）の溝分の可動範囲により、翼部材（２０）の厚み分が調整されることで翼部材（２０）を折りたたんだ状態で翼部が上下に積載されるようになっていることを特徴とする。
以上からなる構成で本発明の玩具等の可動機構は以下のように使用される。
従来の翼部材を折たたむ機構においては、一定の高さを設けた翼部材の接合部を必要していた為に、翼部の上下の積載に厚みができていたことから、他との機構の接合が困難であったり、また、他との機構の接合がされた場合においてもさらに、厚みができたことから、玩具におけるデザイン性は失われていた。
従来の翼部材を折たたむ機構は、翼部材等を折たたみ変型する玩具等において課題とされていた。
本発明の可動機構は、翼部材（２０）を折りたたんだ状態で翼部の厚みが最小限、上下に積載されることで、さらに、翼部材（２０）を折りたたまれた積載面に他との機構の接合が可能とされることで、玩具におけるデザイン性は失われない。
従って本発明、玩具等の可動機構は翼部材等を折たたみ変型する玩具等において使用されものである。
【０００６】
【発明の効果】
本発明の可動機構は、従来の翼部材を折たたむ機構において、一定の高さを設けた翼部材の接合部による、翼部の上下の積載に厚みができていたことから、他との機構の接合の困難や他との機構の接合がされた場合においての、翼部との厚みにより、玩具におけるデザイン性の損失は解消されていたが、本発明の可動機構の効果により、他との機構の接合を容易にし、翼部材等を折たたみ変型する玩具等においてデザイン性は高められた。
また、本発明の機構においてのボックス体の組付け工程はネジにて固定されることからボックス体との翼部材の装着性と翼部材の開閉時の安定性を提供することができる。
また、翼部材のサイズが拡大されたものであっても、翼部材のサイズに対応設定された本発明の可動機構においても翼部材を折たたむ性能と装着性、翼部材の開閉時の安定性を提供することができる。
以上、発明の効果が発揮される。
【図面の簡単な説明】
【図１】従来の玩具における翼等を折込む可動機構図である。
【図２】従来の玩具における翼等を折込む可動機構の断面図である。
【図３】従来の玩具における翼等を折込む可動機構を示した図である。
【図４】本発明のストッパー、止軸、ネック部を介して延接された翼により構成された翼部材の図である。
【図５】本発明の翼部材の断面の構成図である。
【図６】本発明の翼部材を底面部から見た状態の図である。
【図７】本発明の可動機構の分解図である。
【図８】本発明の可動機構の構成経過の図である。
【図９】本発明の可動機構が形成された状態の図である。
【図１０】本発明の可動機構における双方の翼部材が折たたまれた状態の図である。
【符号の説明】
１０：　本体
１０１：翼
１０２：折軸
１０３：折軸止
２０：　翼部材
２０１：翼
２０２：ストッパー
２０３：止軸
２０４：ネック部
３０：　本体
３０１：軸受
３０２：溝止ネジ穴
３０３：本体ネジ穴
３０４：止ネジ
４０：　溝止カバー
５０：　本体カバー
【図１】
2004033718.tif 000003
【図２】
2004033718.tif 000004
【図３】
2004033718.tif 000005
【図４】
2004033718.tif 000006
【図５】
2004033718.tif 000007
【図６】
2004033718.tif 000008
【図７】
2004033718.tif 000009
【図８】
2004033718.tif 000010
【図９】
2004033718.tif 000011
【図１０】
2004033718.tif 000012